【手続補正書】
【提出日】平成19年6月18日(2007.6.18)
【手続補正１】
【補正対象書類名】特許請求の範囲
【補正対象項目名】全文
【補正方法】変更
【補正の内容】
【特許請求の範囲】
【請求項１】
（ａ）ポリプロピレンホモポリマー、ポリプロピレンおよびエチレンのランダムコポリマーまたはブロックコポリマー、ならびにポリプロピレン、エチレンおよび他の１種のオレフィンのランダムターポリマーまたはブロックターポリマーよりなる群から選択される少なくとも１種のポリプロピレンポリマーと、
（ｂ）少なくとも１種のエチレン／アクリル酸アルキルコポリマーを１〜３０重量％と
を含む組成物から調製される延伸フィルムであって、
前記アクリル酸アルキルのアルキル部分が６個未満の炭素原子を含有し、かつ前記延伸フィルムが、前記ポリプロピレンポリマーの融点未満の温度及び３を超える延伸比で延伸することによって調製されることを特徴とする延伸フィルム。
【請求項２】
前記組成物が、フィラー、艶消剤、ＵＶ安定剤、顔料および他の添加剤よりなる群から選択される少なくとも１種の追加成分（ｃ）を０．０１〜４０重量％さらに含むことを特徴とする請求項１に記載の延伸フィルム。
【請求項３】
前記アクリル酸アルキルがアクリル酸メチルであり、前記成分（ｂ）が２〜３０重量％の量で存在し、かつ前記成分（ｃ）が０．１〜１５重量％の量で存在することを特徴とする請求項２に記載の延伸フィルム。
【請求項４】
冷却水浴中若しくはチルドロール上へ前記組成物を押し出し、急冷することにより、又は環状ダイ（ａｎｎｕｌａｒ  ｄｉｅ）に通して前記組成物を押し出し、空気急冷してチューブラ・インフレートフィルム（ｔｕｂｕｌａｒ  ｂｌｏｗｎ  ｆｉｌｍ）にすることにより調製されることを特徴とする請求項１〜３のいずれかに記載の延伸フィルム。
【請求項５】
前記組成物が管型反応器（ｔｕｂｕｌａｒ  ｒｅａｃｔｏｒ）によって製造されたエチレン／アクリル酸アルキルコポリマーを含み、かつ前記延伸フィルムが延伸比６以上で調製されることを特徴とする請求項４に記載の延伸フィルム。
【請求項６】
請求項１〜５のいずれかに記載の延伸フィルムを、細断することによって調製されることを特徴とするテープ。
【請求項７】
（１）請求項１〜５のいずれかに記載の組成物を調製する工程と、
（２）前記組成物をフィルムへ成形する工程と、
（３）前記フィルムを細断する工程と、
（４）前記細断したテープを３を超える延伸比及び前記ポリプロピレンポリマーの融点未満の温度で延伸して延伸テープを製造することを特徴とする延伸テープの調製方法。
【請求項８】
（１）請求項１〜５のいずれかに記載の組成物を調製する工程と、
（２）前記組成物をフィルムへ成形する工程と、
（３）前記フィルムを３を超える延伸比及び前記ポリプロピレンポリマーの融点未満の温度で延伸して、延伸フィルムを製造することを特徴とする延伸フィルムの調製方法。
【請求項９】
請求項８に記載の延伸フィルムの調製方法であって、
（ｂ）１０〜２５重量％のエチレン／アクリル酸アルキルコポリマー改質剤、及び
（ｄ）７５〜９０重量％のＣａＣＯ３、
を含むマスターバッチを前記（ｂ）成分源として用いて前記工程（１）の組成物を調製することを特徴とする延伸フィルムの調製方法。
【請求項１０】
請求項８に記載の延伸フィルムの調製方法であって、
（ｂ）１０〜２５重量％のエチレン／アクリル酸アルキルコポリマー改質剤、
（ｃ）１種又は２種以上のフィラー、艶消剤、ＵＶ安定剤及び顔料からなる群から選択される１種又は２種以上の追加成分、及び
（ｄ）７５〜９０重量％のＣａＣＯ３、
を含むマスターバッチを前記（ｂ）成分源として用いて前記工程（１）の組成物を調製することを特徴とする延伸フィルムの調製方法。
【手続補正２】
【補正対象書類名】明細書
【補正対象項目名】００８７
【補正方法】変更
【補正の内容】
【００８７】
次の実施例は単に例示的なものであり、本明細書に記載されるおよび／または特許請求される本発明の範囲を限定すると解釈されるべきではない。
以下に本明細書に記載の発明につき列記する。
１．  ａ）ポリプロピレンホモポリマー、ポリプロピレンおよびエチレンのランダムコポリマーまたはブロックコポリマー、ならびにポリプロピレン、エチレンおよび他の１種のオレフィンのランダムターポリマーまたはブロックターポリマーよりなる群から選択される少なくとも１種のポリプロピレンポリマーと、
（ｂ）少なくとも１種のエチレン／アクリル酸アルキルコポリマーを１〜３０重量％と
を含む組成物から調製されることを特徴とするフィルム。
２．  前記アクリル酸アルキルが、前記エチレン／アクリル酸アルキルコポリマー中に約５〜約３０重量％の範囲で存在することを特徴とする前記１．に記載のフィルム。
３．  前記アクリル酸アルキルが、前記エチレン／アクリル酸アルキルコポリマー中に約１０〜約２５重量％の範囲で存在することを特徴とする前記１．に記載のフィルム。
４．  前記アクリル酸アルキルが、アクリル酸メチル、アクリル酸エチルおよびアクリル酸ブチルよりなる群から選択されることを特徴とする前記１．に記載のフィルム。
５．  前記アクリル酸アルキルがアクリル酸メチルであることを特徴とする前記４．に記載のフィルム。
６．  成分（ｂ）が２〜３０重量％の量で存在することを特徴とする前記１．に記載のフィルム。
７．  成分（ｂ）が２〜２０重量％の量で存在することを特徴とする前記６．に記載のフィルム。
８．  成分（ｂ）が２〜１０重量％の量で存在することを特徴とする前記６．に記載のフィルム。
９．  （ｃ）フィラー、艶消剤、ＵＶ安定剤、顔料および他の添加剤よりなる群から選択される少なくとも１種の追加成分を０．０１〜４０重量％さらに含むことを特徴とする前記１．に記載のフィルム。
１０．  成分（ｃ）が０．１〜１５重量％の量で存在することを特徴とする前記９．に記載のフィルム。
１１．  冷却水浴中へ前記組成物を押し出し、急冷することにより調製されることを特徴とする前記１．に記載のフィルム。
１２．  チルドロール上へ前記組成物を押し出し、急冷することにより調製されることを特徴とする前記１．に記載のフィルム。
１３．  環状ダイ（ａｎｎｕｌａｒ  ｄｉｅ）に通して前記組成物を押し出し、空気急冷することによりチューブラ・インフレートフィルム（ｔｕｂｕｌａｒ  ｂｌｏｗｎ  ｆｉｌｍ）に調製されることを特徴とする前記１．に記載のフィルム。
１４．  前記組成物が管型反応器（ｔｕｂｕｌａｒ  ｒｅａｃｔｏｒ）によって製造されたエチレン／アクリル酸アルキルコポリマーを含むことを特徴とする前記１．に記載のフィルム。
１５．  前記１．〜１４．のいずれか一項に記載のフィルムを、細断することによって調製されることを特徴とするテープ。
１６．  前記１５．に記載の細断されたテープフィルム（ｓｐｌｉｔ  ｔａｐｅ  ｆｉｌｍ）から調製されることを特徴とする織布。
１７．  ロープ、ひも（ｓｔｒｉｎｇ）、コード（ｃｏｒｄ）、合成芝、サッククロス（ｓａｃｋｉｎｇ）、重袋（ｈｅａｖｙ−ｄｕｔｙ  ｓａｃｋ）、カーペット用の一次および二次基布、ジオテキスタイル、アグロテキスタイル、工業布、革紐、ベルト、衣料（ａｐｐａｒｅｌ）、おむつ、網、容器、フィルター、防水布、天幕、天蓋、旗、屋根膜（ｒｏｏｆｉｎｇ  ｍｅｍｂｒａｎｅ）、旅行鞄ライナー、パッケージ、ならびに室内装飾材料（ｕｐｈｏｌｓｔｅｒｙ）よりなる群から選択される、前記１６．に記載の織布から製造されることを特徴とする物品。
１８．  前記３１．に記載の細断されたテープフィルムでできていることを特徴とする重袋。
１９．  前記３１．に記載の細断されたテープフィルムでできていることを特徴とするジオテキスタイル。
２０．  前記３１．に記載の細断されたテープフィルムでできていることを特徴とすることを特徴とするアグロテキスタイル。
２１．  前記１５．に記載の細断されたテープを熱延伸し、かつ、アニールすることによって調製されることを特徴とする繊維。
２２．  ロープ、ひも、コード、合成芝、サッククロス、重袋、カーペット用の一次および二次基布、ジオテキスタイル、アグロテキスタイル、工業布、革紐、ベルト、衣料、おむつ、網、容器、フィルター、防水布、天幕、天蓋、旗、屋根膜、旅行鞄ライナー、パッケージ、ならびに室内装飾材料よりなる群から選択される、請求項２１．に記載の細断されたテープから製造されることを特徴とする物品。
２３．  （１）以下の（ａ）および（ｂ）、すなわち、
（ａ）ポリプロピレンホモポリマー、ポリプロピレンおよびエチレンのランダムコポリマーまたはブロックコポリマー、ならびにポリプロピレン、エチレンおよび他の１種のオレフィンのランダムターポリマーまたはブロックターポリマーよりなる群から選択される少なくとも１種のポリプロピレンポリマーと、
（ｂ）少なくとも１種のエチレン／アクリル酸アルキルコポリマーを１〜３０重量％と、
を含む組成物を調製する工程と、
（２）前記組成物をフィルムへ成形する工程と、
（３）前記フィルムをテープへ細断する工程と、
（４）工程（３）のテープを熱延伸し、かつ、アニールする工程と
を含むことを特徴とする繊維の調製方法。
２４．  前記アクリル酸アルキルが、前記エチレン／アクリル酸アルキルコポリマー中に約５〜約３０重量％の範囲で存在することを特徴とする前記２３．に記載の方法。
２５．  前記アクリル酸アルキルが、前記エチレン／アクリル酸アルキルコポリマー中に約１０〜約２５重量％の範囲で存在することを特徴とする前記２４．に記載の方法。
２６．  前記アクリル酸アルキルが、アクリル酸メチル、アクリル酸エチルおよびアクリル酸ブチルよりなる群から選択されることを特徴とする前記２３．に記載の方法。
２７．  前記アクリル酸アルキルがアクリル酸メチルであることを特徴とする前記２６．に記載の方法。
２８．  成分（ｂ）が２〜３０重量％の量で存在することを特徴とする前記２３．に記載の方法。
２９．  成分（ｂ）が２〜２０重量％の量で存在することを特徴とする前記２８．に記載の方法。
３０．  成分（ｂ）が２〜１０重量％の量で存在することを特徴とする前記２９．に記載の方法。
３１．  （ｃ）フィラー、艶消剤、ＵＶ安定剤、顔料および他の添加剤よりなる群から選択される少なくとも１種の追加成分を０．０１〜４０重量％さらに含むことを特徴とする前記２３．に記載の方法。
３２．  成分（ｃ）が０．１〜１５重量％の量で存在することを特徴とする前記２７．に記載の方法。
３３．  冷却水浴中へ前記組成物を押し出し、急冷することにより調製されることを特徴とする前記２３．に記載の方法。
３４．  チルドロール上へ前記組成物を押し出し、急冷することにより調製されることを特徴とする前記２３．に記載の方法。
３５．  環状ダイに通して前記組成物を押し出し、空気急冷することにより、チューブラ・インフレートフィルムに調製されることを特徴とする請求項２３．に記載の方法。
３６．  前記組成物が管型反応器によって製造されたエチレン／アクリル酸アルキルコポリマーを含むことを特徴とする前記２３．に記載の方法。
３７．  （ａ）ポリプロピレンホモポリマー、ポリプロピレンおよびエチレンのランダムコポリマーまたはブロックコポリマー、ならびにポリプロピレン、エチレンおよび他の１種のオレフィンのランダムターポリマーまたはブロックターポリマーよりなる群から選択される少なくとも１種のポリプロピレンポリマーと、
（ｂ）少なくとも１種のエチレン／アクリル酸アルキルコポリマーを１〜１５重量％と、
を含む組成物から調製されることを特徴とする溶融紡糸繊維。
３８．  前記アクリル酸アルキルが、前記エチレン／アクリル酸アルキルコポリマー中に約５〜約３０重量％の範囲で存在することを特徴とする前記３７．に記載の繊維。
３９．  前記アクリル酸アルキルが、前記エチレン／アクリル酸アルキルコポリマー中に約１０〜約２５重量％の範囲で存在することを特徴とする前記３８．に記載の繊維。
４０．  前記アクリル酸アルキルが、アクリル酸メチル、アクリル酸エチルおよびアクリル酸ブチルよりなる群から選択されることを特徴とする前記３７．に記載の繊維。
４１．  前記アクリル酸アルキルがアクリル酸メチルであることを特徴とする前記４０．に記載の繊維。
４２．  成分（ｂ）が２〜１０重量％の量で存在することを特徴とする前記３７．に記載の繊維。
４３．  （ｃ）フィラー、艶消剤、ＵＶ安定剤、顔料および他の添加剤よりなる群から選択される少なくとも１種の追加成分を０．０１〜１５重量％さらに含むことを特徴とする前記３７．に記載の繊維。
４４．  成分（ｃ）が０．１〜５重量％の量で存在することを特徴とする前記４３．に記載の繊維。
４５．  前記組成物が管型反応器によって製造されたエチレン／アクリル酸アルキルコポリマーを含むことを特徴とする前記３７．に記載の繊維。
４６．  前記３７．に記載の溶融紡糸繊維から調製されることを特徴とする不織布。
４７．  おむつ、衛生製品、医療用衣料、マスク、掛け布、覆い、毛布、パッケージング、耐久紙、雑巾（ｗｉｐｅ）、ラップ、旗、カーペット基布、フィルター、ジオテキスタイル、アグロテキスタイル、工業布、屋根膜、旅行鞄ライナー、室内装飾材料、および建造物ラップ（ｃｏｎｓｔｒｕｃｔｉｏｎ  ｗｒａｐ）よりなる群から選択される、前記３７．に記載の溶融紡糸繊維から製造されることを特徴とする物品。